(57)【要約】【課題】消費電流値に従う電気機器の制御に関し優れた使用性を提供する。【解決手段】ＣＰＵ１１０は、入力インターフェイス１０３１が受付けた運転操作に基づき、複数台の電気機器の運転状態が制御された場合の総消費電流値をメモリ１０１から取得する。この総消費電流値が、許容電流値４０６以下となるような複数台の電気機器の次位の運転状態を表わす状態情報を取得する。入力インターフェイス１０３１が、次位の運転状態の受容れ拒否のユーザ操作を受付けると、総消費電流値が許容電流値４０６以下となるような複数台の電気機器の別の運転状態を表わす状態情報を取得してディスプレイ１０２に出力する。【選択図】図２
2013017325.tif 000002
【特許請求の範囲】
【請求項１】
ユーザの操作を受付けるための受付インターフェイスと、
前記受付インターフェイスが受付けた運転操作に従って複数台の電気機器の運転を制御するためのプロセッサと、
プロセッサが取得する情報を出力するための出力インターフェイスと、を備え、
前記プロセッサは、
前記受付インターフェイスが受付けた運転操作に基づき、前記複数台の電気機器の運転状態が制御された場合の前記複数台の電気機器の総消費電流値を取得する手段と、
取得される前記総消費電流値が、許容値以下となるような前記複数台の電気機器の次位の運転状態を表わす状態情報を取得するための第１取得手段と、
前記受付インターフェイスが、前記次位の運転状態の受容れ拒否の操作を受付けると、前記総消費電流値が前記許容値以下となるような前記複数台の電気機器の別の運転状態を表わす状態情報を取得するための第２取得手段と、を含む、コントローラ。
【請求項２】
前記複数台の電気機器のそれぞれは、複数の異なる運転状態を有し、
前記プロセッサは、
前記複数台の電気機器のそれぞれに対応して、各運転状態における当該電気機器の消費電流値のデータを記憶するための記憶手段と、
前記複数台の電気機器のそれぞれの現在の運転状態を表わす情報をメモリに記憶するための手段を、さらに含み、
前記第１取得手段は、
受付けた前記運転操作に基づき前記複数台の電気機器の運転状態が制御された場合に、前記記憶手段のデータに基づき算出される前記総消費電流値が前記許容値以下となるように、前記複数台の電気機器のうちの１つ以上の電気機器の現在の運転状態を他の運転状態に切替えることにより、前記次位の運転状態を取得する、請求項１に記載のコントローラ。
【請求項３】
前記第２取得手段は、
前記第１取得手段により運転状態が切替えられる前記１つ以上の電気機器の前記他の運転状態が除外されるように、前記複数台の電気機器の別の運転状態を取得する、請求項２に記載のコントローラ。
【請求項４】
前記第２取得手段は、
前記受付インターフェイスが受付けた前記運転操作が指示する電気機器の操作後の運転状態が含まれるように、前記複数台の電気機器の別の運転状態を取得する、請求項２または３に記載のコントローラ。
【請求項５】
前記複数の異なる運転状態には、運転停止状態が含まれて、
前記第２取得手段は、
現在の運転状態が前記運転停止状態である前記電気機器については現在の運転状態が保持されるように、前記複数台の電気機器の別の運転状態を取得する、請求項２から４のいずれか１項に記載のコントローラ。
【請求項６】
前記プロセッサは、
前記受付インターフェイスが受付けた運転操作に基づき前記複数台の電気機器の運転状態を、前記次位の運転状態に切替えるように制御する、請求項１に記載のコントローラ。
【請求項７】
前記出力インターフェイスは、前記複数台の電気機器の運転状態が前記次位の運転状態に切替えられるのに先立って、前記別の運転状態を表わす状態情報を出力する、請求項６に記載のコントローラ。
【請求項８】
前記出力インターフェイスは、前記複数台の電気機器の運転状態が前記次位の運転状態に切替えられた後に、前記別の運転状態を表わす状態情報を出力する、請求項６に記載のコントローラ。
【請求項９】
複数台の電気機器と、
前記複数台の電気機器と通信し運転を制御するコントローラと、を備え、
前記コントローラは、
ユーザの操作を受付けるための受付インターフェイスと、
前記受付インターフェイスが受付けた運転操作に従って複数台の電気機器の運転を制御するためのプロセッサと、
プロセッサが取得する情報を出力するための出力インターフェイスと、を含み、
前記プロセッサは、
前記受付インターフェイスが受付けた運転操作に基づき、前記複数台の電気機器の運転状態が制御された場合の前記複数台の電気機器の総消費電流値を取得する手段と、
取得される前記総消費電流値が、許容値以下となるような前記複数台の電気機器の次位の運転状態を表わす状態情報を取得するための第１取得手段と、
前記受付インターフェイスが、前記次位の運転状態の受容れ拒否の操作を受付けると、前記総消費電流値が前記許容値以下となるような前記複数台の電気機器の別の運転状態を表わす状態情報を取得するための第２取得手段と、を有する、ネットワークシステム。
【請求項１０】
ユーザの操作を受付けるための受付インターフェイスと、
前記受付インターフェイスが受付けた運転操作に従って複数台の電気機器の運転を制御するためのプロセッサと、
プロセッサが取得する情報を出力するための出力インターフェイスと、を備えるコントローラにおける情報処理方法であって、
前記受付インターフェイスが受付けた運転操作に基づき、前記複数台の電気機器の運転状態が制御された場合の前記複数台の電気機器の総消費電流値を取得するステップと、
取得される前記総消費電流値が、許容値以下となるような前記複数台の電気機器の次位の運転状態を表わす状態情報を取得するステップと、
前記受付インターフェイスにより、前記次位の運転状態の受容れ拒否の操作を受付けると、前記プロセッサが、前記総消費電流値が前記許容値以下となるような前記複数台の電気機器の別の運転状態を表わす状態情報を取得するステップと、を含む、情報処理方法。
【発明の詳細な説明】
【技術分野】
【０００１】
本発明は、住宅などに配置されて当該住宅内の電気機器に接続されるコントローラの技術に関する。
【背景技術】
【０００２】
住宅内など複数の家電機器が利用される場合には、住宅内の使用電流値が設定値を超えた場合には、予め設定された優先順位に基づき機器の運転を停止し、または消費電流が少なくなるように制御される。これにより、使用電流値が契約アンペアを超過してブレーカが開路することを防止している。
【０００３】
このような優先順位に基づく制御が、たとえば特開昭６３−１４０６２５号公報（特許文献１）に示される。具体的には、デマンド制御用の設備機器と、その優先順位を設定した制御パターンを複数種類設け、制御パターンを１日の時間帯、１週間の曜日、季節などの環境条件の変化に応じて選択使用する構成が示される。
【先行技術文献】
【特許文献】
【０００４】
【特許文献１】特開昭６３−１４０６２５号公報
【発明の概要】
【発明が解決しようとする課題】
【０００５】
特許文献１では、優先順位は１日の時間帯により、１週間の曜日により、または季節に応じて変更されるが、変更後の優先順位は設備機器を利用するユーザにとっては、最適なものとはならないために、利便性に欠ける。
【０００６】
本発明は、かかる問題を解決するためになされたものであり、その目的は、消費電流値に従う電気機器の制御に関し使用性が改善されるコントローラ、ネットワークシステム、および情報処理方法を提供することにある。
【課題を解決するための手段】
【０００７】
この発明のある局面に従うと、ユーザの操作を受付けるための受付インターフェイスと、受付インターフェイスが受付けた運転操作に従って複数台の電気機器の運転を制御するためのプロセッサと、プロセッサが取得する情報を出力するための出力インターフェイスと、を備えるコントローラにおいて、プロセッサは、受付インターフェイスが受付けた運転操作に基づき複数台の電気機器の運転状態が制御された場合の複数台の電気機器の総消費電流値を取得する手段と、総消費電流値が許容値以下となるような複数台の電気機器の次位の運転状態を表わす状態情報を取得するための第１取得手段と、受付インターフェイスが、次位の運転状態の受容れを拒否する操作を受付けると、総消費電流値が許容値以下となるような複数台の電気機器の別の運転状態を表わす状態情報を取得するための第２取得手段と、を含む。
【０００８】
好ましくは、複数台の電気機器のそれぞれは、複数の異なる運転状態を有し、プロセッサは、複数台の電気機器のそれぞれに対応して、各運転状態における当該電気機器の消費電流値のデータを記憶するための記憶手段と、複数台の電気機器のそれぞれの現在の運転状態を表わす情報をメモリに記憶するための手段を、さらに含み、第１取得手段は、受付けた運転操作に基づき複数台の電気機器の運転状態が制御された場合に、記憶手段のデータに基づき算出される総消費電流値が許容値以下となるように、複数台の電気機器のうちの１つ以上の電気機器の現在の運転状態を他の運転状態に切替えることにより、次位の運転状態を取得する。
【０００９】
好ましくは、第２取得手段は、第１取得手段により運転状態が切替えられる１つ以上の電気機器の他の運転状態が除外されるように、複数台の電気機器の別の運転状態を取得する。
【００１０】
好ましくは、第２取得手段は、受付インターフェイスが受付けた運転操作が指示する電気機器の操作後の運転状態が含まれるように、複数台の電気機器の別の運転状態を取得する。
【００１１】
好ましくは、複数の異なる運転状態には、運転停止状態が含まれて、第２取得手段は、現在の運転状態が運転停止状態である電気機器については現在の運転状態が保持されるように、複数台の電気機器の別の運転状態を取得する。
【００１２】
好ましくは、プロセッサは、受付インターフェイスが受付けた運転操作に基づき複数台の電気機器の運転状態を、次位の運転状態に切替えるように制御する。
【００１３】
好ましくは、出力インターフェイスは、複数台の電気機器の運転状態が次位の運転状態に切替えられるのに先立って、別の運転状態を表わす状態情報を出力する。
【００１４】
好ましくは、出力インターフェイスは、複数台の電気機器の運転状態が次位の運転状態に切替えられた後に、別の運転状態を表わす状態情報を出力する。
【００１５】
この発明の他の局面に従うと、複数台の電気機器と、複数台の電気機器と通信し運転を制御するコントローラと、を備えるネットワークシステムでは、コントローラは、ユーザの操作を受付けるための受付インターフェイスと、受付インターフェイスが受付けた運転操作に従って複数台の電気機器の運転を制御するためのプロセッサと、プロセッサが取得する情報を出力するための出力インターフェイスと、を含む。
【００１６】
プロセッサは、受付インターフェイスが受付けた運転操作に基づき複数台の電気機器の運転状態が制御された場合の複数台の電気機器の総消費電流値を取得する手段と、総消費電流値が、許容値以下となるような複数台の電気機器の次位の運転状態を表わす状態情報を取得するための第１取得手段と、受付インターフェイスが、次位の運転状態を受容れない旨の操作を受付けると、総消費電流値が許容値以下となるような複数台の電気機器の別の運転状態を表わす状態情報を取得するための第２取得手段と、を有する。
【００１７】
この発明の他の局面に従う方法は、ユーザの操作を受付けるための受付インターフェイスと、受付インターフェイスが受付けた運転操作に従って複数台の電気機器の運転を制御するためのプロセッサと、プロセッサが取得する情報を出力するための出力インターフェイスと、を備えるコントローラにおける情報処理方法であって、受付インターフェイスにより運転操作を受付けると、プロセッサが、受付けた運転操作に基づき複数台の電気機器の運転状態が制御された場合の複数台の電気機器の総消費電流値を取得するステップと、総消費電流値が、許容値以下となるような複数台の電気機器の次位の運転状態を表わす状態情報を取得するステップと、受付インターフェイスにより、次位の運転状態を受容れない旨の操作を受付けると、プロセッサが、総消費電流値が許容値以下となるような複数台の電気機器の別の運転状態を表わす状態情報を取得するステップと、を含む。
【発明の効果】
【００１８】
本発明によれば、消費電流値に従う電気機器の制御に関し優れた使用性を提供する。
【図面の簡単な説明】
【００１９】
【図１】本実施の形態に係るネットワークシステムの全体構成を示す図である。
【図２】本実施の形態に係るホームコントローラのハードウェア構成を表わすブロック図である。
【図３】本実施の形態に係る優先度テーブルを説明するための図である。
【図４】本実施の形態に係る消費電流値テーブルを説明するための図である。
【図５】本実施の形態に係る状態テーブルを説明するための図である。
【図６】本実施の形態に係る提案候補を説明するための図である。
【図７】本実施の形態に係る家電のハードウェア構成を表わす図である。
【図８】本実施の形態に係る処理手順を示すフローチャートである。
【図９】本実施の形態に係る処理手順を示す他のフローチャートである。
【図１０】本実施の形態に係る表示例を説明するための図である。
【図１１】実施の形態に係るネットワークシステムの他の構成例を示す図である。
【発明を実施するための形態】
【００２０】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２１】
本実施の形態では、家電とは、家屋で使用される電気機器であり、外部から供給される電力によって駆動される電気機器を指す。家屋は、たとえば、住宅、オフィスなどを指す。
【００２２】
＜ネットワークシステムの全体構成＞
図１を参照して、本実施の形態に係るネットワークシステム１は、たとえば、住宅やオフィスなどに設置される。ネットワークシステム１は、屋内に設置されるエアコン（空気調和機）２００Ａ、テレビ２００Ｂ、電子レンジ２００Ｃ、冷蔵庫２００Ｄ、および照明２００Ｅなどの家電を含む。図示される家電は一例であり、これらに限定されるものではない。
【００２３】
ネットワークシステム１は、太陽光発電装置２００Ｘ、バッテリー２００Ｙ、それらを制御するためのパワーコンディショナ２００Ｚを含む。なお、バッテリー２００Ｙは、住宅などに設置されるものであってもよいし、自動車用のバッテリーを住宅用のバッテリーとして兼用するものであってもよい。
【００２４】
ネットワークシステム１は、家電２００Ａ〜２００Ｅ、太陽光発電装置２００Ｘ、バッテリー２００Ｙ、それらを制御するためのパワーコンディショナ２００Ｚ、などを制御するためのホームコントローラ１００を含む。ホームコントローラ１００は、有線あるいは無線のネットワーク４０１を介して、家電２００Ａ〜２００Ｅ、太陽光発電装置２００Ｘ、バッテリー２００Ｙ、それらを制御するためのパワーコンディショナ２００Ｚ、などとデータ通信が可能である。ホームコントローラ１００は、ネットワーク４０１として、たとえば、無線ＬＡＮ（Local  Area  Network）、ZigBee(登録商標)、Bluetooth（登録商標）、有線ＬＡＮ、またはＰＬＣ（Power  Line  Communications）などを利用する。ホームコントローラ１００は、持ち運び可能であってもよいし、テーブル上に載置されたベースに着脱自在であってもよいし、部屋の壁に固設されるものであってもよい。
【００２５】
本実施の形態に係るネットワークシステム１においては、パワーコンディショナ２００Ｚが、電力線４０２を介して、バッテリー２００Ｙと系統と家電２００Ａ〜２００Ｅとに電力を供給する。そして、パワーコンディショナ２００Ｚは、電力線４０２を介して、太陽光発電装置２００Ｘ、バッテリー２００Ｙ、および系統（電力会社が提供する電力系統など）から電力を取得する。また、パワーコンディショナ２００Ｚは、系統から電力線４０２への分岐に関連してブレーカ２００Ｐを内蔵し、ホームコントローラ１００からの遮断指令に応答して、当該ブレーカ２００Ｐを、系統から電力線４０２への電力供給を遮断するように制御する。遮断後は、ホームコントローラ１００からの復帰指令により電力供給が再開されるように当該ブレーカ２００Ｐを制御する。
【００２６】
なお、ホームコントローラ１００は、各家電の総消費電流値を算出し、算出した総消費電流値が後述する許容電流値４０６より大きいと判別すると、遮断指令を出力する。ホームコントローラ１００は、ユーザ操作により復帰の操作指令を入力すると、応じて、復帰指令を出力する。
【００２７】
＜ホームコントローラ１００のハードウェア構成＞
図２を参照して、ホームコントローラ１００は、メモリ１０１、ディスプレイ１０２、タブレット１０３、ボタン１０４、通信インターフェイス１０５、スピーカ１０７、時計１０８、およびＣＰＵ（Central  Processing  Unit）１１０を含む。タブレット１０３およびボタン１０４のユーザ操作を受付けるための入力インターフェイス１０３１と１０４１と、ディスプレイ１０２に情報を出力するために出力インターフェイス１０２１をさらに備える。ユーザに対して情報を出力するデバイスは画像表示によるディスプレイ１０２と、音声出力によるスピーカ１０７とを用いることができる。
【００２８】
メモリ１０１は、各種のＲＡＭ（Random  Access  Memory）や、ＲＯＭ（Read-Only  Memory）や、ハードディスクなどによって実現される。たとえば、メモリ１０１は、読取用のインターフェイスを介して利用される、ＵＳＢ（Universal Serial Bus）メモリ、ＣＤ−ＲＯＭ（Compact  Disc  -  Read  Only  Memory）、ＤＶＤ−ＲＯＭ（Digital  Versatile  Disk  -  Read  Only  Memory）、ＵＳＢ（Universal  Serial  Bus）メモリ、メモリカード、ＦＤ（Flexible  Disk）、ハードディスク、磁気テープ、カセットテープ、ＭＯ（Magnetic  Optical  Disc）、ＭＤ（Mini  Disc）、ＩＣ（Integrated  Circuit）カード（メモリカードを除く）、光カード、マスクＲＯＭ、ＥＰＲＯＭ、ＥＥＰＲＯＭ（Electronically  Erasable  Programmable  Read-Only  Memory）などの、不揮発的にプログラムを格納する媒体などによっても実現される。
【００２９】
メモリ１０１は、ＣＰＵ１１０によって実行される制御プログラム、許容電流値４０６、優先度テーブル４０７、消費電流値テーブル４０３、複数種類の提案候補４０４、および複数種類のシステム状態テーブル４０８などの各種データを記憶する。
【００３０】
許容電流値４０６は、系統を介して電力会社から供給される電流であって、電力会社との契約上使用できる最大電流値[単位：Ａ]に基づきＣＰＵ１１０が決定する値であって、当該最大電流値未満を指す。つまり、ネットワークシステム１が一度に使用することを許容する電流値を指す。許容電流値４０６のデータは、メモリ１０１に予め格納される。
【００３１】
図３を参照して、優先度テーブル４０７は、各家電に対応して、当該家電の名称５１、優先度５２および運転状態５３を示すデータを格納する。優先度テーブル４０７では、名称５１は予め格納される。名称５１の“照明”、“エアコン”、“ＴＶ”および“電子レンジ”それぞれは、照明２００Ｅ、エアコン２００Ａ、テレビ２００Ｂおよび電子レンジ２００Ｃそれぞれを指す。ここでは、名称５１の“家電機器１”は、図１には示されないが電動ブラインドなどを指す。
【００３２】
優先度５２は、当該家電を他の家電に優先して運転する必要性の度合いを示す。優先度５２、ユーザがタブレット１０３を操作することにより可変に設定変更することができる。優先度は、ここでは数値を用いて示され、数値が大きいほど優先度が低くなり、小さいほど優先度は高くなることを示す。
【００３３】
各家電に対応する運転状態５３は、当該家電の現在の運転状態を示す。運転状態５３の値が“切”は、当該家電が運転されていない、すなわち停止しており当該家電による消費電流は０であることを示し、“入”は稼動しており電流が消費されていることを指す。
【００３４】
照明２００Ｅは本実施の形態では１００ワット（１００Ｖ，１Ａ）白熱灯２灯からなり、２個が点灯すれば運転状態は“全灯”を指し、１個が点灯すれば“半灯”を指し、２個が消灯すれば“切”を指す。
【００３５】
“エアコン”の運転状態５３は“通常運転”、消費電力量を抑制するための“エコ運転”および“切”のいずれかを指す。エコ運転は、たとえば、消費電力を抑制するように冷房/暖房の設定温度を変更する運転を指す。
【００３６】
“ＴＶ”の運転状態５３は、“入”と“切”の２種類のみである。“電子レンジ”の運転状態５３は“入”と“切”の２種類のみである。
【００３７】
本実施の形態における運転状態５３の設定手順について説明する。
ここでは、ユーザは、所望の家電の運転を制御するためにタブレット１０３を操作する。入力インターフェイス１０３１は、ユーザ操作を受付けて、受付けた操作に従う操作指令を出力する。ＣＰＵ１１０は、操作指令を入力し、入力した操作指令に基づき対象家電宛ての運転制御指令を生成し、通信インターフェイス１０５を介して送信する。家電は、自己宛ての運転制御指令を受信すると、受信した運転制御指令に従って家電の運転状態を切替える。家電は、切替後の運転状態をホームコントローラ１００に通知する。ホームコントローラ１００のＣＰＵ１１０は、当該通知を受信すると、受信した通知に基づき優先度テーブル４０７の当該家電に対応する運転状態５３を更新する。これにより、優先度テーブル４０７の運転状態５３は、対応家電の現在の運転状態を指すことになる。
【００３８】
ここでは、ＣＰＵ１１０が、入力インターフェイス１０３１からユーザ操作に従う操作指令を入力し、当該操作指令に基づく運転制御指令を家電宛てに送信することにより、家電の運転状態を切替えるようにする動作を、“ユーザ操作を受容れる”という。
【００３９】
なお、本実施の形態では、優先度テーブル４０７において優先度５２とともに、各家電の現在の運転状態５３も管理するようにしているが、優先度５２と運転状態５３とは別テーブルにより管理するようにしてもよい。
【００４０】
また、説明を簡単にするために、ユーザは家電の運転を制御するためにタブレット１０３を操作すると想定しているが、これに限定されない。たとえば、各家電に備え付けられた操作部をユーザが操作して運転状態を切替え、家電は、切替後の運転状態をホームコントローラ１００に通知するようにしてもよい。
【００４１】
図４には、消費電流値テーブル４０３の内容の一例が示される。図４を参照して、消費電流値テーブル４０３には、各家電に対応して当該家電の名称６１および、当該家電の上述の運転状態５３の種類に応じた消費電流６２（単位：Ａ）が格納される。消費電流値テーブル４０３の内容は、家電がネットワークシステム１に接続された時点で設定される。消費電流値テーブル４０３の家電の名称６１は、優先度テーブル４０７の家電の名称５１に一致する。
【００４２】
図５には、本実施の形態に係るシステム状態テーブル４０８が例示される。システム状態テーブル４０８は、ネットワークシステム１の全ての家電の運転状態を一覧にして表わすためのテーブルである。したがって、システム状態テーブル４０８が表わす情報を、“システム状態”と称する。
【００４３】
図５では、説明のためにシステム状態として“状態１”、“状態２”、および“状態３”の３種類を例示するが、ネットワークシステム１が取り得るシステム状態の種類および個数は、これに限定されない。
【００４４】
システム状態テーブル４０８は、ネットワークシステム１に接続される各家電に対応して当該家電の名称７１、および当該家電が取り得る複数種類の運転状態が格納される。各運転状態は、当該運転状態を識別するための状態７２と、当該運転状態のもとでの消費電流値７３（単位：Ａ）からなる組を指す。
【００４５】
システム状態テーブル４０８では、各家電に対応する複数種類の運転状態のうち、太枠で囲まれた消費電流値７３に対応の運転状態は、当該家電の現在の運転状態を指す。
【００４６】
ＣＰＵ１１０は、優先度テーブル４０７の運転状態５３に基づきシステム状態テーブル４０８を作成し、メモリ１０１に格納する。具体的には、ＣＰＵ１１０は、消費電流値テーブル４０３に基づき、各家電について、当該家電が取り得る複数種類の運転状態を格納するシステム状態テーブル４０８を作成する。そして、当該システム状態テーブル４０８の各家電の複数種類の運転状態のうちから、優先度テーブル４０７の運転状態５３に基づき、現在の運転状態を選択し、選択した運転状態をポインタデータで指示する。当該ポインタデータは、図５のシステム状態テーブル４０８の太枠に相当する。なお、ポインタデータで指示する方法に代替して、フラグデータを用いて指示するようにしてもよい。
【００４７】
ＣＰＵ１１０は、ポインタデータで指示される運転状態の消費電流値７３の総量を算出し、算出値を当該システム状態テーブル４０８に合計電流値７４として格納する。これにより、システム状態テーブル４０８の作成が完了する。
【００４８】
ＣＰＵ１１０は、システム状態テーブル４０８を参照することにより、各家電の運転状態とともに、現在の総消費電流値（合計電流値７４）を判別することができる。
【００４９】
図５の（Ａ）の“状態１”に対応のシステム状態テーブル４０８は、太枠で指示される運転状態にある家電の総消費電流値が“３３”（単位：Ａ）となるようなシステム状態を例示する。図５の（Ｂ）の“状態２”に対応のシステム状態テーブル４０８は、運転状態にある家電の総消費電流値が“４３”（単位：Ａ）となるようなシステム状態を例示し、図５の（Ｃ）の“状態３”に対応のシステム状態テーブル４０８は、運転状態にある家電の総消費電流値が“３７”（単位：Ａ）となるようなシステム状態を例示する。
【００５０】
図６には、ユーザに提示されるべきシステム状態の提案候補４０４が例示される。提案候補４０４は総消費電流値が許容電流値４０６以下となるような家電の運転状態の組合わせをテーブル形式で格納したものである。
【００５１】
提案候補４０４のテーブルには、各家電に対応して、当該家電の名称８１、および当該家電が取り得る複数種類の運転状態が格納される。各運転状態は、運転状態を識別するための状態８２と、当該運転状態のもとでの消費電流値８３（単位：Ａ）の組を指す。図６の提案候補４０４では、各家電の運転状態の組のうち、太枠で囲まれた消費電流値８３に対応の運転状態８２が、当該家電について提案する運転状態を指す。太枠はポインタデータを指示する。なお、ポインタデータで指示する方法に代替して、フラグデータを用いて指示するとしてもよい。
【００５２】
図６の（Ａ）と（Ｂ）の提案候補４０４（提案候補１と２）は、運転されるべき家電の組合せは異なるが、それら家電の総消費電流値（合計電流値８４）が許容電流値４０６以下の３９（単位：Ａ）となるような提案例である。
【００５３】
提案候補４０４は、ＣＰＵ１１０により予め作成されてメモリ１０１に格納される。ＣＰＵ１１０は、所定規則に従って、ネットワークシステム１に接続される家電の種類と、各家電の運転状態の種類との組合わせに基づき複数種類の提案候補４０４を作成し、メモリ１１０に格納する。ここで、所定規則は、季節、制御不可家電機器の情報などを指す。たとえば、季節が“夏”であれば、エアコン２００Ａの運転状態を“切”とするような組合せが外された提案候補４０４を作成する。または、ユーザが常時“入”の運転状態にあることを指定した家電（たとえば、冷蔵庫２００Ｄ）は、提案候補４０４において名称８１が“制御不可家電機器”として登録されて、対応する運転状態は常時“入”と選択されるような提案候補４０４を作成するとしてもよい。
【００５４】
図６では、提案候補４０４として２種類を例示しているが、種類および数は、これに限定されない。つまり、家電の種類および各家電が取り得る運転状態の種類数が多いほど、多くの種類の提案候補４０４が準備されて、メモリ１０１に格納される。
【００５５】
＜家電のハードウェア構成＞
家電の構成を、エアコン２００Ａを例示して説明するが、他の種類の家電であっても同様の構成を適用することができる。
【００５６】
図７を参照して、エアコン２００Ａは、運転に関するデータ・プログラムを記憶するためのメモリ２０１、運転制御のためのユーザ操作を受付けるためのボタン２０４、通信インターフェイス２０５、図示しない熱交換サイクルを駆動するためのモータなどを含む空調部２０７、温度・湿度のセンサ、消費電流値を検出する電流センサなどの各種のセンサ２０９、およびＣＰＵ２１０を含む。
【００５７】
ＣＰＵ２１０は、通信インターフェイス２０５を介してホームコントローラ１００から運転制御指令を受信すると、受信した運転制御指令に基づき空調部２０７を制御して運転状態を切替える。そして、切替後の運転状態を、通信インターフェイス２０５を介してホームコントローラ１００に通知する。
【００５８】
メモリ２０１は、ホームコントローラ１００のメモリ１０１と同様に実現され得る。メモリ２０１は、ＣＰＵ２１０によって実行される制御プログラム、エアコン２００Ａの消費電流値、エアコン２００Ａに入力された命令、エアコン２００Ａの運転状態などを記憶する。
【００５９】
通信インターフェイス２０５は、ＣＰＵ２１０によって制御されることによって、ネットワーク４０１を介して、ホームコントローラ１００とデータを送受信する。上述したように、通信インターフェイス２０５は、無線ＬＡＮ、ZigBee(登録商標)、Bluetooth（登録商標）、有線ＬＡＮ（Local  Area  Network）、またはＰＬＣ（Power  Line  Communications）などを利用することによって、ホームコントローラ１００とデータを送受信する。
【００６０】
センサ２０９は、電流センサを含む。電流センサはエアコン２００Ａの消費電流を測定する。測定による得られた消費電流値は、通信インターフェイス２０５によりＣＰＵ２１０に送信され、またメモリ２０１に格納される。
【００６１】
本実施の形態では、ホームコントローラ１００側で、各家電について消費電流値（単位：Ａ）が算出されるが、この算出は各家電側で行なうようにしてもよい。つまり、各家電が電流センサで測定した消費電流値をメモリ２０１を用いて累積加算し、累積加算結果を消費電流値としてホームコントローラ１００に送信する構成であってもよい。ホームコントローラ１００は、各家電について算出した消費電流値をディスプレイ１０２に表示することにより、ユーザに対して省エネへの動機付けを促すことができる。
【００６２】
（処理フローチャート）
図８と図９は、本実施の形態に係る家電の運転状態の遷移処理のフローチャートを示す。この処理フローチャートに従うプログラムは、予めメモリ１０１に格納されており、ＣＰＵ１１０がメモリ１０１から当該プログラムを読出し、読出したプログラムの各命令コードを実行することにより各種の処理（機能）が実現される。
【００６３】
ここでは、電力会社との契約最大電流値は“４０”（単位：Ａ）であると想定する。したがって、許容電力４０６として例えば“３９”（単位：Ａ）が設定されていると想定する。また、ＣＰＵ１１０により、ネットワークシステム１の各家電の現在の運転状態を管理するために、図５の（Ａ）の“状態１”のシステム状態テーブル４０８が作成されて、メモリ４０５に格納されていると想定する。
【００６４】
まず、図８のフローチャートに従う処理を説明する。
動作において、ＣＰＵ１１０は、ユーザがタブレット１０３を操作することによる操作指令を入力するか否かを判別する（ステップＳ３）。操作指令を入力しない、すなわちユーザ操作を受付けない間は（ステップＳ３でＮＯ）、ステップＳ３の処理が繰り返される。
【００６５】
ここで、ユーザ操作を受付けたと判別すると（ステップＳ３でＹＥＳ）、ＣＰＵ１１０は、ユーザ操作による操作指令に基づき家電の運転状態が切替えられた場合のシステム状態による総消費電流を算出する（ステップＳ５）。
【００６６】
具体的には、現在の“状態１”のシステム状態テーブル４０８から、操作指令に基づき、運転状態の切替えが指示された家電の現在の運転状態（すなわち、ポインタデータが指示する運転状態）を検索する。検索された家電の運転状態を、操作指令が指示する他の運転状態に切替える（すなわち、ポインタデータを他の運転状態を指示するように更新する）。その後、更新後のポインタデータを含む各家電に対応のポインタデータが指示する消費電流７３の総和を算出する。
【００６７】
ＣＰＵ１１０は、ステップＳ５で算出された総消費電流値と、許容電流値４０６とを比較する（ステップＳ７）。比較結果に基づき、算出された総消費電流値が許容電流値４０６以下であると判別すると（ステップＳ７で“ＯＫ”）、ＣＰＵ１１０は、ユーザ操作を受容れて処理をステップＳ９に移行させる。
【００６８】
ステップＳ９では、ＣＰＵ１１０は、各家電の運転状態を次位状態に移行させる。その後、ステップＳ３の処理に戻る。
【００６９】
ステップＳ９では、ユーザ操作を受容れたことにより、優先度テーブル４０７の運転状態５３が更新される。したがって、ＣＰＵ１１０は、更新後の運転状態５３を用いて、現在のシステム状態を表わすシステム状態テーブル４０８を作成しメモリ１０１に格納する。このように、家電の運転状態が切替えられる都度、現在のシステム状態を表わすためのシステム状態テーブル４０８が作成されて、メモリ１０１に格納されることになる。
【００７０】
一方、ステップＳ５で算出した総消費電流値は、許容電流値４０６よりも大きいと判別すると（ステップＳ７で“ＮＧ”）、ＣＰＵ１１０は、処理をステップＳ１１に移行させる。
【００７１】
ここで、ステップＳ３のユーザ操作は、電子レンジ２００Ｃを“状態１”の“切”から“入”へ切替える操作であったと想定する。この場合、ＣＰＵ１１０がステップＳ５で算出する総消費電流値は４３（単位：Ａ）となり、許容電流値４０６の３９（単位：Ａ）よりも大きいと判別される（ステップＳ７で“ＮＧ”）。したがって、ユーザ操作を受容れるとすれば、ネットワークシステム１の家電の運転状態は“状態２”（図５の（Ｂ）参照）となることが予想される。“状態２”のシステム状態テーブル４０８によれば、合計電流値７４は許容電流値４０６を超えてしまい、ブレーカ２００Ｐが遮断動作し、系統からの電力供給が遮断される惧れがある。
【００７２】
これを回避するために、ＣＰＵ１１０は、ユーザ操作を受容れつつ、システム状態の総消費電流値が許容電流値４０６以下となるような次位の運転状態を取得して表示する（ステップＳ１３ａ）。
【００７３】
具体的には、ＣＰＵ１１０は、現在のシステム状態のシステム状態テーブル４０８に基づき、ユーザ操作に従って電子レンジ２００Ｃを“入”で運転した状態で、且つ優先度テーブル４０７の運転状態５３が“切”ではない家電を１個づつ順番に選択する。そして、選択した１個の家電の運転状態を現在の状態から“切”に切替えた場合の消費電流値の変化量を、消費電流値テーブル４０３の消費電流値６２に基づき算出する。そして、現在のシステム状態テーブル４０８の合計電流値７４から変化量を差し引いて、差し引き後の合計電流値を算出する。このようにして、１個づつ選択された各家電に対応して、差し引き後の合計電流値が算出される。
【００７４】
ＣＰＵ１１０は、差し引き後の合計電流値のうちから許容電流値４０６以下となるような合計電流値を判別する。判別された差し引き後の合計電流値を算出するために用いた上記の変化量に対応する家電のうち、その優先度５２が最も低い家電を選択する。
【００７５】
ここでは、優先度５２が最下位であるエアコン２００Ａが選択されたと想定する。ＣＰＵ１１０は、選択の結果に基づき、ディスプレイ１０２に次位に遷移するシステム状態に関する情報を表示する（ステップＳ１３ａ）。表示例が、図１０の（Ａ）に示される。
【００７６】
図１０の（Ａ）では、ステップＳ３におけるユーザ操作を受容れるならば、エアコン２００Ａは“切”に切替えられる旨を表示する。
【００７７】
ユーザは、図１０の（Ａ）の表示を確認し、エアコン２００Ａを“切”に切替えることを希望しない場合には、タブレット１０３を操作して他のシステム状態の提案を要求する。ＣＰＵ１１０は、タブレット１０３からの操作指示に基づきユーザ要求が入力されるか否かを判別する（ステップＳ１４ａ）。
【００７８】
図１０の（Ａ）の画面を表示してから所定期間が経過してもユーザ要求が入力されないと判別すると（ステップＳ１４ａでＮＯ）、ＣＰＵ１１０は、システム状態をエアコン２００Ａの運転状態が“切”に切替えられた次位の状態に移行させる（ステップＳ１４ｂ）。その後、処理はステップＳ３に移行する。
【００７９】
ステップＳ１４ｂにおいて、ＣＰＵ１１０は、ユーザ操作を受容れて（すなわち、電子レンジ２００Ｃ宛てに“入”の運転制御指令を送信し）、且つエアコン２００Ａ宛てに“切”に切替えるための運転制御指令を送信する。これにより電子レンジ２００Ｃの“入”の使用が可能となり、エアコン２００Ａは“通常運転”から“切”状態へと切替えられる。このようにしてシステム状態が次位の状態に移行すると、ＣＰＵ１１０は、ネットワークシステム１の現在のシステム状態を表わすシステム状態テーブル４０８を作成し、メモリ１０１に格納する（ステップＳ１３）。ここでは、“状態３”のシステム状態テーブル４０８（図５の（Ｃ）参照）が作成されてメモリ１０１に格納されることになる。
【００８０】
図５の（Ｃ）に示すように、“状態３”では、電子レンジ２００Ｃの運転状態は“入”であり、且つエアコン２００Ａの運転状態は“切”となっていることから、合計電流値７４は許容電流値４０６未満となる。したがって、ブレーカ２００Ｐによる電力供給の遮断を回避しながらユーザ操作が受容れられたことがわかる。
【００８１】
ここで、ユーザは、電子レンジ２００Ｃの運転状態を“入”に切替えても、エアコン２００Ａを“切”に切替えたくない場合もある。その場合、ユーザはタブレット１０３を操作して、他の運転状態の提案を要求することができる。ＣＰＵ１１０は、タブレット１０３からの操作指示に基づきユーザ要求が入力されたと判別すると（ステップＳ１４ａでＹＥＳ）、処理をステップＳ１５に移行させる。
【００８２】
ステップＳ１５では、ＣＰＵ１１０は、“状態３”とは異なる他のシステム状態の候補を取得する。具体的には、ＣＰＵ１１０は、メモリ１０１の複数種類の提案候補４０４を、所定条件に基づき検索し、検索結果に従って、他のシステム状態を表わす提案候補４０４を取得する。
【００８３】
ここで、提案候補４０４を検索するための所定条件は、以下の条件（１）〜（４）を含む。ここでは条件（１）〜（４）の全てを満足するような提案候補４０４を検索する。
【００８４】
（１）ステップＳ３で受付けたユーザ操作指令に従って家電の運転状態は切替える。
（２）“状態３”に移行させるために“切”に切替えた家電の運転状態は現在の（切替前の）運転状態を指す。
【００８５】
（３）ステップＳ３でユーザ操作指令を受付けたときに“切”であった家電の運転状態は変更せず保持する。
【００８６】
（４）合計電流値８４が許容電流値４０６以下である。
なお、条件（１）〜（４）のうち１つ以上を満足する提案候補４０４を検索するとしてもよい。また、検索に基づき提示される提案候補４０４にユーザの要望（デマンド）を反映し易くするために、検索に適用される条件（１）〜（４）の組合せは、ユーザが可変設定できるとしてもよい。
【００８７】
ＣＰＵ１１０は、複数種類の提案候補４０４のうち、当該所定条件を満たす提案候補４０４を検索する。検索結果、たとえば図６の（Ａ）と（Ｂ）の２つの提案候補４０４が取得されたと想定する。
【００８８】
ＣＰＵ１１０は、ステップＳ１５で取得した提案候補４０４に基づき、表示するべき提案内容を決定する（ステップＳ１７）。具体的には、優先度テーブル４０７が示す各家電の現在の運転状態５３（すなわち、現在の“状態１”の各家電の状態７２）と、図６の（Ａ）と（Ｂ）の２つの提案候補４０４それぞれの状態８２とを比較する。比較結果に基づく提案内容をディスプレイ１０２に表示する（ステップＳ１９）。表示例が、図１０に示される。
【００８９】
図１０の（Ｂ）では図６の（Ａ）の提案候補１との比較による表示例が示される。図１０の（Ｂ）では、エアコン２００Ａを“入”のままとしても、家電機器１を“入”→“切”に変更すると、合計電流値７４が許容電流値４０６未満となるような運転が可能である旨のアドバイスがされる。図１０の（Ｃ）では図６の（Ｂ）の提案候補２との比較による表示例が示さる。図１０の（Ｃ）では、エアコン２００Ａを“エコ運転”とし、照明２００Ｅを“全灯”→“半灯”に変更すると、合計電流値７４が許容電流値４０６未満となるような運転が可能である旨のアドバイスがされる。
【００９０】
ユーザは、ディスプレイ１０２に表示された提案候補を確認し、いずれの提案候補を受容れるかを判断し、判断結果に基づきタブレット１０３を操作する。当該操作により、提案受容れの指示を入力する。
【００９１】
ＣＰＵ１１０は、提案を表示した後に提案受容れの操作指令を入力すると（ステップＳ２１でＹＥＳ）、受容れが指示された提案内容に従って、該当する家電に対して、提案に従う運転制御指令を送信する（ステップＳ２２）。これにより、ネットワークシステム１の各家電の運転状態は、ユーザが受容れた提案内容に従う他の運転状態に移行する。その後、処理はステップＳ３に移行する。
【００９２】
一方、提案を表示した後、所定時間を経過してもユーザが何ら操作をしない場合、または提案を受容れず拒否する旨の操作をしたと判別した場合には（ステップＳ２１でＮＯ）、ＣＰＵ１１０は、前述のステップＳ１４ｂと同様の処理により、ステップＳ１３ａで提示した次位の運転状態（“状態３”）に移行させる（ステップＳ２３ａ）。その後、処理はステップＳ３に移行する。
【００９３】
このように、ユーザ操作を受容れるとすれば、総消費電流値が許容電流値４０６よりも大きくなりネットワークシステム１への電力供給遮断の惧れがあると判断される場合には、ユーザ操作を受容れる前に、総消費電流値を許容電流値４０６以下とするために運転状態が切替えられる家電の候補をユーザに対して提案する。したがって、ユーザの要望を反映した家電の運転状態の切替が可能となる。
【００９４】
図８の処理では、次位のシステム状態に移行する前に代替のシステム状態の提案を行なうが、図９のように次位のシステム状態に移行した後に提案を行なうようにしてもよい。
【００９５】
図９を参照して、ステップＳ３〜Ｓ１１の処理は図８と同様に行われる。その後、ＣＰＵ１１０は、ステップＳ３におけるユーザ操作を受容れることにより、システム状態を“状態３”に移行させる（ステップＳ１３ｂ）。この処理は、前述したステップＳ１４ｂと同様である。
【００９６】
“状態３”に移行した後に、ＣＰＵ１１０は、ステップＳ１４ａ、Ｓ１５〜Ｓ２１の処理を図８と同様に行なう。
【００９７】
ステップＳ２１において、ＣＰＵ１１０は、提案受容れのユーザ操作がされず受容れ拒否されたと判別すると（ステップＳ２１でＮＯ）、現在の運転状態（“状態３”）を保持したまま（ステップＳ２３ｂ）、処理をステップＳ３に移行させるが、提案受容れのユーザ操作がされたと判別すると（ステップＳ２１でＹＥＳ）、図８の処理と同様に、現在の運転状態（“状態３”）を、受容れられた提案に従うシステム状態へ移行させる（ステップＳ２２）。
【００９８】
図９のフローチャートによれば、次位のシステム状態に移行した後に代替のシステム状態のための提案がされるから、図８の場合に比較して、ステップＳ３でのユーザ操作の受容れを速やかに行なうことができる。
【００９９】
また、ここでは、許容電流値４０６は系統からの供給電流のみに依存した値を指したが、太陽光発電装置２００Ｘまたはバッテリー２００Ｙからの供給電流も加算した値を指すようにしてもよく、または太陽光発電装置２００Ｘまたはバッテリー２００Ｙからの供給電流のみに依存した値を指すようにしてもよい。
【０１００】
本実施の形態によれば、図８と図９に示すように、ユーザ操作を受容れるとネットワークシステム１の総消費電流値が許容電流値４０６よりも大きくなり電流供給遮断が想定される場合には、総消費電流値が許容電流値４０６以下となるようなシステム状態に切替えられることから、電流供給遮断を確実に回避することができる。
【０１０１】
また、総消費電流値が許容電流値４０６以下となるようなシステム状態は、優先度５２に基づき取得されるから、運転する必要性の高い家電は現状の運転状態を保持しながら、システム状態の切替を行なうことができる。
【０１０２】
さらに、総消費電流値を許容電流値４０６以下とするようなシステム状態の提案候補４０４を提案することで、ユーザに対して優先度５２に従うシステム状態とは異なる代替案を提案することができる。これにより、システム状態の切替を優先度５２に従うものに限定されることなく、ユーザの要望（デマンド）を反映したシステム状態の切替が可能となる。
【０１０３】
＜プログラムの変形例＞
上述の実施の形態に係る処理は、ＣＰＵ１１０を実行されるソフトウェアによって実現される。このようなソフトウェアは、メモリ１０１に予め記憶されている場合がある。また、ソフトウェアは、記憶媒体に格納されて、プログラム製品として流通している場合もある。あるいは、ソフトウェアは、いわゆるインターネットに接続されている情報提供事業者によってダウンロード可能なプログラム製品として提供される場合もある。
【０１０４】
このようなソフトウェアは、図示しない読取装置を利用することによってその記憶媒体から読み取られて、あるいは、通信インターフェイス１０５を利用することによってダウンロードされて、メモリ１０１に一旦格納される。ＣＰＵ１１０は、ソフトウェアを実行可能なプログラムの形式でメモリ１０１に格納してから、当該プログラムを実行する。なお、記憶媒体およびプログラムは、ホームコントローラ１００に係る記録媒体やプログラムと同様に実現され得る。
【０１０５】
［他の実施の形態］
次に、本発明の他の実施の形態について説明する。上述の図１に示すネットワークシステム１では、家電２００Ａ〜２００Ｅが、消費電流を測定し、消費電流の測定値をホームコントローラ１００に送信するものであった。一方、本実施の形態に係るネットワークシステム１Ｂでは、家電２００Ａ〜２００Ｅの各々がホームコントローラ１００に消費電流の測定値を送信しない。すなわち、家電２００Ａ〜２００Ｅの代わりに、家電２００Ａ〜２００Ｅに電力を供給するためのコンセントに取り付けられた通信装置（スマートタップ）が、家電２００Ａ〜２００Ｅの各々の消費電流を測定し、消費電流の測定値をホームコントローラ１００に送信するものである。
【０１０６】
＜ネットワークシステムの全体構成＞
図１１を参照して、本実施の形態に係るネットワークシステム１Ｂと、図１に示すネットワークシステム１とを比較し異なる点は、次の点である。つまり、ネットワークシステム１Ｂでは、エアコン２００Ａ用の通信装置４００Ａが、エアコン２００Ａとエアコン２００Ａのコンセントとの間に設置される。換言すれば、通信装置４００Ａがエアコン２００Ａのコンセントに差し込まれ、エアコン２００Ａのアダプタ２５０Ａが通信装置４００Ａに差し込まれる。同様に、電子レンジ２００Ｃ用の通信装置４００Ｃが、電子レンジ２００Ｃと電子レンジ２００Ｃのコンセントとの間に設置される。換言すれば、通信装置４００Ｃが電子レンジ２００Ｃのコンセントに差し込まれ、電子レンジ２００Ｃのアダプタ２５０Ｃが通信装置４００Ｃに差し込まれる。冷蔵庫２００Ｄ用の通信装置４００Ｄが、冷蔵庫２００Ｄと冷蔵庫２００Ｄのコンセントとの間に設置される。換言すれば、通信装置４００Ｄが冷蔵庫２００Ｄのコンセントに差し込まれ、冷蔵庫２００Ｄのアダプタ２５０Ｄが通信装置４００Ｄに差し込まれる。照明２００Ｅ用の通信装置４００Ｅが、照明２００Ｅと照明２００Ｅのコンセントとの間に設置される。換言すれば、通信装置４００Ｅが照明２００Ｅのコンセントに差し込まれ、照明２００Ｅのアダプタ２５０Ｅが通信装置４００Ｅに差し込まれる。
【０１０７】
本実施の形態に係るネットワークシステム１Ｂは、図１のネットワークシステム１と比較して、ホームコントローラ１００が、通信装置４００Ａ〜４００Ｅを介して、家電２００Ａ〜２００Ｅの消費電流の測定値を取得する点において異なるものである。他の構成については、図１のそれらと同様であるため、説明を繰り返さない。
【０１０８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【符号の説明】
【０１０９】
１  ネットワークシステム、５２  優先度、１００  ホームコントローラ、１０２  ディスプレイ、１０３  タブレット、２００Ａ〜２００Ｅ  家電、２００Ｐ  ブレーカ、２００Ｘ  太陽光発電装置、２００Ｙ  バッテリー、２００Ｚ  パワーコンディショナ、４０１  ネットワーク、４０２  電力線、４０３  消費電流値テーブル、４０６  許容電流値、４０７  優先度テーブル、４０８  システム状態テーブル。
【図１】
2013017325.tif 000003
【図２】
2013017325.tif 000004
【図３】
2013017325.tif 000005
【図４】
2013017325.tif 000006
【図５】
2013017325.tif 000007
【図６】
2013017325.tif 000008
【図７】
2013017325.tif 000009
【図８】
2013017325.tif 000010
【図９】
2013017325.tif 000011
【図１０】
2013017325.tif 000012
【図１１】
2013017325.tif 000013